(57)【要約】      （修正有）【課題】組立てる楽しみを遊戯者に与えることが可能な立体ジグソーパズルを提供する。【解決手段】立体物の特徴部分と外観形状が一致する第１のピース（顔ピース７、腹ピース４１、左腕ピース４２、右腕ピース４３）と、第１のピースと協働して躯体を形成する複数の第２のピース（頭ピース７、胴体ピース４６）とを備える。第１のピースと第２のピースとを連結する第１の連結構造と、第２のピース同士を連結する第２の連結構造２３とを備える。第１のピースと第２のピースは、外表面と端面とを有する。第２のピースの外表面の輪郭は、隣接する第１、第２のピースに倣い、第１の連結構造は、端面に突設された突起と凹部とによって構成される。第２の連結構造２３は、括れた基部２１ａを有する突片２１と切り欠き２２とによって構成されている。【選択図】図１
0003158461.tif 000002
【実用新案登録請求の範囲】
【請求項１】
立体物の特徴部分と外観形状が一致するように形成された第１のピースと、
前記第１のピースと協働して前記立体物の躯体を形成する複数の第２のピースと、
前記第１のピースと前記第２のピースとを連結する第１の連結構造と、
互いに隣り合う前記第２のピースどうしを連結する第２の連結構造とを備え、
前記第１のピースおよび前記第２のピースは、前記立体物の外観に現れる外表面と、
この外表面の端縁から前記躯体内の仮想中心を指向して延びる端面とを有し、
前記第２のピースの前記外表面の輪郭は、隣接する第１または第２のピースの外形に倣う形状に形成され、
前記第１の連結構造は、前記第１のピースと前記第２のピースのうち一方のピースの前記端面における前記外表面より前記躯体内側の部位に突設された突起と、他方のピースの前記端面に前記突起が嵌合可能に形成された凹部とによって構成され、
前記第２の連結構造は、互いに隣接する第２のピースのうち一方の第２のピースに基部が括れる状態で突設された突片と、他方の第２のピースに前記突片が嵌合可能に形成された切り欠きとによって構成されていることを特徴とする立体ジグソーパズル。
【請求項２】
請求項１記載の立体ジグソーパズルにおいて、前記立体物は略球状の頭部を有し、
前記頭部は、前記第１のピースと前記第２のピースとを備え、
これらの第１のピースおよび第２のピースの前記端面が指向して延びる仮想中心は、前記略球状の頭部の中心部に位置していることを特徴とする立体ジグソーパズル。
【請求項３】
請求項２記載の立体ジグソーパズルにおいて、前記立体物は、前記頭部と、この頭部を支持する柱状部とを備え、
前記柱状部は、前記第１のピースと前記第２のピースとを備えるとともに、上下方向に延びるように形成され、
前記柱状部の第１のピースおよび第２のピースにおける水平方向の両端部に位置する端面は、前記柱状部の上下方向に延びる中心線を仮想中心として形成されていることを特徴とする立体ジグソーパズル。
【請求項４】
請求項３記載の立体ジグソーパズルにおいて、前記頭部と前記柱状部との間には、支持板が設けられ、
前記支持板の上端部には、前記頭部の下端部を構成するピースと回転自在に嵌合する円柱状の軸が突設されていることを特徴とする立体ジグソーパズル。
【請求項５】
請求項３または請求項４記載の立体ジグソーパズルにおいて、前記柱状部の下端部には、この柱状部の下端部を構成する各ピースを組み合わせた状態で保持する脚部材が設けられていることを特徴とする立体ジグソーパズル。
【請求項６】
請求項１ないし請求項５のうちいずれか一つに記載の立体ジグソーパズルにおいて、複数の前記第２のピースのうち、少なくとも一つの第２のピースは、前記端面の形状および位置が等しくかつ前記外表面の造形が異なる他の第２のピースと交換可能に形成されていることを特徴とする立体ジグソーパズル。
【考案の詳細な説明】
【技術分野】
【０００１】
本考案は、多数のピースを立体的に組み合わせることにより形成される立体ジグソーパズルに関するものである。
【背景技術】
【０００２】
従来のこの種の立体ジグソーパズルとしては、例えば特許文献１に開示されているものがある。
特許文献１に記載されている立体ジグソーパズルは、多数のピースを組み合わせて球体を形成するものである。
【０００３】
前記各ピースは、ピースどうしを組み合わせることができるように、突片と切り欠きとが形成されている。また、各ピースは、ほとんど同じ大きさに形成されている。各ピースには、球体が形成された状態で完成する絵柄が描かれることがある。
【先行技術文献】
【特許文献】
【０００４】
【特許文献１】特開２００４−８６１３号公報
【考案の概要】
【考案が解決しようとする課題】
【０００５】
しかしながら、特許文献１に示す立体ジグソーパズルでは、各ピースを組み合わせて作られる物体が球体であり、その形状に特徴がない。すなわち、各ピースを組み合わせるときの手がかりは、各ピースどうしを接続するための係合部分の形状や、各ピースに描かれている絵柄しかない。
このため、特許文献１に記載されている立体ジグソーパズルにおいては、組立てるときの難易度が高くなり、必ずしも組立てる楽しみを遊戯者に与えることはできないという問題があった。
【０００６】
本考案はこのような問題を解消するためになされたもので、組立てる楽しみを遊戯者に与えることが可能な立体ジグソーパズルを提供することを目的とする。
【課題を解決するための手段】
【０００７】
この目的を達成するために、本考案に係る立体ジグソーパズルは、立体物の特徴部分と外観形状が一致するように形成された第１のピースと、前記第１のピースと協働して前記立体物の躯体を形成する複数の第２のピースと、前記第１のピースと前記第２のピースとを連結する第１の連結構造と、互いに隣り合う前記第２のピースどうしを連結する第２の連結構造とを備え、前記第１のピースおよび前記第２のピースは、前記立体物の外観に現れる外表面と、この外表面の端縁から前記躯体内の仮想中心を指向して延びる端面とを有し、前記第２のピースの前記外表面の輪郭は、隣接する第１または第２のピースの外形に倣う形状に形成され、前記第１の連結構造は、前記第１のピースと前記第２のピースのうち一方のピースの前記端面における前記外表面より前記躯体内側の部位に突設された突起と、他方のピースの前記端面に前記突起が嵌合可能に形成された凹部とによって構成され、前記第２の連結構造は、互いに隣接する第２のピースのうち一方の第２のピースに基部が括れる状態で突設された突片と、他方の第２のピースに前記突片が嵌合可能に形成された切り欠きとによって構成されているものである。
【０００８】
本考案は、前記考案において、前記立体物は略球状の頭部を有し、前記頭部は、前記第１のピースと前記第２のピースとを備え、これらの第１のピースおよび第２のピースの前記端面が指向して延びる仮想中心は、前記略球状の頭部の中心部に位置しているものである。
【０００９】
本考案は、前記考案において、前記立体物は、前記頭部と、この頭部を支持する柱状部とを備え、前記柱状部は、前記第１のピースと前記第２のピースとを備えるとともに、上下方向に延びるように形成され、前記柱状部の第１のピースおよび第２のピースにおける水平方向の両端部に位置する端面は、前記柱状部の上下方向に延びる中心線を仮想中心として形成されているものである。
【００１０】
この考案は、前記考案において、前記頭部と前記柱状部との間には、支持板が設けられ、前記支持板の上端部には、前記頭部の下端部を構成するピースと回転自在に嵌合する円柱状の軸が突設されているものである。
【００１１】
この考案は、前記考案において、前記柱状部の下端部には、この柱状部の下端部を構成する各ピースを組み合わせた状態で保持する脚部材が設けられているものである。
【００１２】
この考案は、前記考案において、複数の前記第２のピースのうち、少なくとも一つの第２のピースは、前記端面の形状および位置が等しくかつ前記外表面の造形が異なる他の第２のピースと交換可能に形成されているものである。
【考案の効果】
【００１３】
本考案によれば、特徴的な形状の特徴部分を有する立体物をジグソーパズルとして形成することができる。このため、球体のような単純な形状の立体ジグソーパズルに較べると、特徴部分の形状が組立時の手がかりになるから、作る楽しみを遊戯者に与えることができる。
【００１４】
前記立体物をたとえばキャラクター人形とし、特徴部分をキャラクター人形の例えば顔、腕、腹部などとすることによって、ジグソーパズルを作る楽しみに加えて、キャラクター人形を組立てる楽しみを作るものに与えることができる。
【図面の簡単な説明】
【００１５】
【図１】本考案に係る立体ジグソーパズルを示す図で、同図（Ａ）は正面から見た斜視図、同図（Ｂ）は左側方から見た斜視図、同図（Ｃ）は右側方から見た斜視図、同図（Ｄ）は後方から見た斜視図、同図（Ｅ）は平面図、同図（Ｆ）は（Ａ）図における頭部のＦ−Ｆ線断面図である。
【図２】本考案に係る立体ジグソーパズルを頭部、支持板、胴体部および脚部材に分割して示す分解斜視図である。
【図３】頭部の第１の連結構造を示す斜視図である。
【図４】頭部の第２のピースを示す斜視図である。
【図５】第２の連結構造を示す斜視図である。
【図６】支持板と頭部との連結部分を示す斜視図である。
【図７】胴体部と支持板との連結部分を示す斜視図である。
【図８】胴体部の第１の連結構造を示す斜視図である。
【図９】脚部材と胴体部との連結部分を示す斜視図である。
【図１０】外表面の造形が異なる他の第２のピースを示す斜視図で、同図（Ａ）は他の第２のピースを取外した状態を示し、同図（Ｂ）は他の第２のピースを取付けた状態を示す。
【考案を実施するための形態】
【００１６】
以下、本考案に係る立体ジグソーパズルの一実施の形態を図１〜図１０によって詳細に説明する。
この実施の形態による立体ジグソーパズル１は、キャラクター人形からなる立体物を構成するものである。この立体ジグソーパズル１は、図１および図２に示すように、上下方向に並ぶ二つの躯体２，３を備えている。
前記二つの躯体２，３のうち、上側に位置する躯体２は、キャラクター人形の頭部を構成し、下側に位置する躯体３は、キャラクター人形の胴体部を構成している。以下においては、前記上側の躯体を頭部２といい、前記下側の躯体を胴体部３という。
【００１７】
前記頭部２は、略球状に形成されており、後述する支持板４を介して胴体部３に支持されている。前記胴体部３は、請求項３記載の考案でいう「柱状部」を構成するもので、上下方向に延びるように形成されており、後述する脚部材５の上に載せられている。
前記頭部２は、図１〜図５に示すように、キャラクター人形の特徴部分の一つである「顔」を構成する顔ピース６を備えている。
【００１８】
顔ピース６は、前記「顔」と外観形状が一致するように形成されており、本考案でいう第１のピースを構成している。
前記頭部２は、前記顔ピース６と、この顔ピース６と協働して一つの躯体を形成する複数の頭ピース７とによって構成されている。前記頭ピース７は、本考案でいう第２のピースを構成している。この実施の形態による頭部２は、全てのピースを組み合わせた状態において、内部に中空部Ｓ｛図１（Ｆ）および図６参照｝が形成されている。
【００１９】
これらの顔ピース６と頭ピース７とは、それぞれプラスチック材料によって形成されており、金型（図示せず）を使用して所定の形状に成型されている。また、顔ピース６と頭ピース７とは、異なる色のプラスチック材料によって形成されている。この実施の形態によるキャラクター人形において、頭ピース７の色は、一色に統一されている。なお、顔ピース６と頭ピース７の色は適宜変更することができるし、頭ピース７の色は、ピース毎に変えることができる。
【００２０】
顔ピース６と頭ピース７とは、図２〜図５に示すように、キャラクター人形の外観に現れる外表面１１と、この外表面１１の裏側に位置する内表面１２と、前記外表面１１と内表面１２とを接続する端面１３とを有している。
顔ピース６の外表面１１は、キャラクター人形の顔の造形と同じ形状の凸曲面となるように形成されている。顔ピース６の外表面１１には、目１４と口１５とが描かれている。
【００２１】
顔ピース６の外表面１１には、図１および図２において目１４と口１５とを表す線が描かれている部位に、凹溝が形成されている。この凹溝の溝壁面は、顔ピース６の色とは異なる色で塗装されている。
頭ピース７の外表面１１は、何も描かれていないが、キャラクター人形の頭の形状と同一の凸曲面となるように形成されている。頭ピース７の外表面１１の輪郭は、隣接する顔ピース６または頭ピース７の外形に倣う形状に形成されている。
【００２２】
顔ピース６と頭ピース７の前記端面１３は、それぞれ外表面１１の端縁から頭部２内の仮想中心Ｃ｛図１（Ｆ）参照｝を指向して延びるように形成されている。仮想中心Ｃは、略球状の頭部２の中心部に位置している。なお、端面１３が指向する仮想中心は、１点に限定されることはなく、また、前記仮想中心Ｃの周辺近傍であってもよい。
【００２３】
顔ピース６の端面１３と、顔ピース６と隣接する頭ピース７の端面１３とには、図３に示すように、突起１６と凹部１７とが形成されている。これらの突起１６と凹部１７とは、顔ピース６と頭ピース７とを着脱可能に連結する第１の連結構造１８を構成している。
この実施の形態においては、顔ピース６の端面１３に突起１６が形成され、頭ピース７の端面１３に凹部１７が形成されている。
【００２４】
突起１６は、突出側端部に向かうにしたがって次第に小さくなる断面台形状の立方体によって形成されている。また、この突起１６は、頭部２の外観に表れることがないように、前記端面１３における前記外表面１１より頭部内側（躯体内側）の部位に配設されている。
前記凹部１７は、前記突起１６が嵌合可能な形状、位置に形成されている。すなわち、頭ピース７は、これらの突起１６と凹部１７との嵌合によって、顔ピース６に脱落することがない状態で着脱可能に取付けられることになる。
【００２５】
一方、頭ピース７どうしは、従来からよく知られているジグソーパズル特有の連結構造によって連結されている。すなわち、互いに隣り合う頭ピース７どうしは、図４および図５に示すように、一方の頭ピース７に突設された突片２１と、他方の頭ピース７に形成された切り欠き２２とからなる第２の連結構造２３によって着脱可能に連結されている。
前記突片２１は、基部２１ａが括れた形状に形成されている。前記切り欠き２２は、前記突片２１が頭部２の外方（球体の中心Ｃとは反対側）から嵌合できる形状に形成されている。
【００２６】
頭部２の上端部に位置する二つの頭ピース７，７は、図１０に示すように、外表面１１の造形が異なる他の耳ピース２４，２５と交換することができる。耳ピース２４，２５は、キャラクター人形の「耳」を構成するもので、外表面１１に耳２６，２７が形成されている以外は前記二つの頭ピース７，７と同じ形状に形成されている。すなわち、耳ピース２４，２５の端面１３の形状および位置は、前記二つの頭ピース７の端面１３と一致している。
【００２７】
前記二つの頭ピース７，７を耳ピース２４，２５と交換することによって、異なる種類のキャラクター人形を作ることができる。前記耳ピース２４，２５によって、請求項６記載の考案でいう「他の第２のピース」が構成されている。なお、交換するピースに形成する造形物は、「耳」に限定されることはなく、例えば「王冠」であったり、「角」であってもよい。「王冠」を有する王冠ピースは、二つの頭ピース７，７を使用して形成することができ、「角」を有する角ピースは、一つまたは二つの頭ピース７を使用して形成することができる。すなわち、外表面１１の造形が異なる他のピースは、少なくとも一つの頭ピース７を使用して形成することができる。
【００２８】
頭部２の下端部には、図５および図６に示すように、円形の穴２８と、この穴２８の周囲に環状に拡がる平坦な底面２９とが形成されている。これらの穴２８と底面２９とは、後述する支持板４に頭部２を取付けるためのものである。前記穴２８の開口形状は円形に形成されている。この穴２８は、頭部２の下端部を構成する各ピースの凹曲面３０が水平方向に並ぶことによって形成されている。前記底面２９は、水平方向に延びるように形成されている。
【００２９】
前記支持板４は、図２、図６および図７に示すように、円板状の本体３１と、この本体３１の上端部に上方へ向けて突設された円柱状の軸３２と、前記本体３１の下端部に下方へ向けて突設された円柱状の支柱３３とから構成されている。この支持板４も着色されたプラスチック材料によって形成されている。
【００３０】
前記本体３１には、図７に示すように、後述する胴体部３の部品との干渉を避けるために凹部３４，３５が形成されている。凹部３４で干渉を避ける部品は、胴体部３の後述する右腕３６であり、凹部３５で干渉を避ける部品は、胴体部３の飾り部品３７である。
前記軸３２は、支持板４の上で前記頭部２の位置を決めるためのものである。この軸３２の軸線は、上下方向を指向している。また、この軸３２の外径は、前記頭部２の穴２８（顔ピース６と頭ピース７の凹曲面３０）に回転自在に嵌合するように形成されている。
【００３１】
この軸３２が前記穴２８に嵌合した状態においては、頭部２の前記底面２９が支持板４の本体３１に接触する。すなわち、この軸３２が頭部２の穴２８に嵌合することによって、頭部２が支持板４に軸３２を中心にして回転自在に支持されることになる。
前記支柱３３は、支持板４を後述する胴体部３の上端部に位置決めするためのものである。この支柱３３の軸線は、前記軸３２の軸線と同一軸線上に位置している。
【００３２】
前記胴体部３は、図２、図７〜図９に示すように、キャラクター人形の特徴部分の一つである「腹」を構成する腹ピース４１と、特徴部分の一つである「左腕」、「右腕」を構成する左腕ピース４２および右腕ピース４３とを備えている。前記左腕ピース４２は、前記腹ピース４１の左側の端部に連結され、前記右腕ピース４３は、前記腹ピース４１の右側の端部に連結されている。
【００３３】
前記腹ピース４１は、前記「腹」と外観形状が一致するように形成されている。左腕ピース４２には左腕４４が形成され、右腕ピース４３には右腕３６が形成されている。前記左腕４４と右腕３６とには、手首を構成する球状部材４５がそれぞれ着脱可能に取付けられている。これらの腹ピース４１、左腕ピース４２および右腕ピース４３は、本考案でいう第１のピースを構成している。
【００３４】
胴体部３は、前記腹ピース４１、左腕ピース４２および右腕ピース４３と、これらのピースと協働して一つの躯体を構成する複数の胴体ピース４６とから構成されている。前記胴体ピース４６は、本考案でいう第２のピースを構成している。この実施の形態による胴体部３は、全てのピースを組み合わせた状態において、内部に中空部Ｓ（図８参照）が形成されている。
【００３５】
胴体部３を構成する各ピースは、それぞれプラスチック材料によって形成されており、金型（図示せず）を使用して所定の形状に成型されている。また、腹ピース４１の色は、左右の腕ピース４２，４３や胴体ピース４６の色とは異なっている。左右の腕ピース４２，４３のの色と、胴体ピース４６の色とは、同じ色である。なお、これらのピースの色は適宜変更することができるし、胴体ピース４６の色は、ピース毎に変えることができる。
【００３６】
胴体部３を構成する各ピースは、図７〜図９に示すように、前記顔ピース６や頭ピース７と同様に、キャラクター人形の外観に現れる外表面１１と、この外表面１１の裏側に位置する内表面１２と、前記外表面１１と内表面１２とを接続する端面１３とを有している。
腹ピース４１の外表面１１は、キャラクター人形の腹の造形と同じ形状の凸曲面となるように形成されている。この実施の形態による腹ピース４１の上端部には、飾り部品３７が着脱可能に取付けられている。飾り部品３７は、図７に示すように、球３７ａと円柱３７ｂとを一体に成形したもので、円柱３７ｂを腹ピース４１の切り欠き４１ａに嵌合させることによって腹ピース４１に取付けられている。
【００３７】
胴体部３を構成する各ピースの端面１３のうち、各ピースの水平方向の両端部に位置する端面１３は、図８に示すように、胴体部３の上下方向に延びる中心線Ｌからなる仮想中心を指向するように形成されている。
腹ピース４１と左腕ピース４２との連結部分と、腹ピース４１と右腕ピース４３との連結部分とには、図８に示すように、本考案における第１の連結構造１８を構成する突起１６と凹部１７とが形成されている。
【００３８】
これらの突起１６および凹部１７は、頭部２に設けられている突起１６、凹部１７と同じ構成となるように形成されている。突起１６は、左腕ピース４２の端面１３と右腕ピース４３の端面１３とに形成され、凹部１７は、腹ピース４１の端面１３に形成されている。胴体部３の突起１６と凹部１７も各ピースの外表面１１より胴体部内側（躯体内側）に位置付けられている。
【００３９】
また、図示してはいないが、左腕ピース４２と胴体ピース４６との連結と、右腕ピース４３と胴体ピース４６との連結も前記第１の連結構造１８によって行われている。
一方、胴体ピース４６どうしは、頭部２の頭ピース７と同様に、本考案でいう第２の連結構造２３によって連結されている。すなわち、胴体部３の第２の連結構造２３は、図１（Ｄ）に示すように、互いに隣接する胴体ピース４６のうち一方の胴体ピース４６に突設された突片２１と、他方の胴体ピース４６に前記突片２１が嵌合可能な形状に形成された切り欠き２２とによって構成されている。突片２１の基部２１ａは、括れた形状に形成されている。前記切り欠き２２は、前記突片２１が胴体部３の外方（中心線Ｌとは反対側）から嵌合できる形状に形成されている。
【００４０】
胴体部３の上端部には、図７および図８に示すように、上述した支持板４の支柱３３を挿入するために円形の穴４７が形成されている。この穴４７は、胴体部３の上端部を構成する各ピースの凹曲面４７ａが水平方向に並ぶことによって形成されている。支持板４の支柱３３は、この穴４７に着脱可能に嵌合する形状に形成されている。胴体部３の上端部における前記穴４７の周辺近傍には、前記支持板４を支承するための平坦面４８が形成されている。
【００４１】
胴体部３の下端部には、図９に示すように、後述する脚部材５の支柱５ａ（図２および図９参照）が嵌合する円形の穴４９が形成されている。この穴４９は、胴体部３の下端部を構成する各ピースの凹曲面４９ａが水平方向に並ぶことによって形成されている。
【００４２】
前記脚部材５は、前記胴体部３の下端部を構成する各ピースを組み合わせた状態で保持するためのものである。この脚部材５の上端部には、円柱状の支柱５ａが形成されているとともに、上方に向けて開口する凹部５０が形成されている。この凹部５０は、前記胴体部３の下端部に突設された突起５１と協働して連結構造５２を構成している。この連結構造５２は、上述した第１の連結構造１８と同一の構成となるように形成されており、脚部材５と、胴体部３の下端部を構成する６個の胴体ピース４６とを連結している。
【００４３】
この連結構造５２は、脚部材５の上に載せた胴体部３の下端部が個々の胴体ピース４６に分かれることを規制する。このため、脚部材５に胴体部３を載せることによって、胴体部３が分解してしまうことを防ぐことができ、胴体部３の載置の安定を図ることができる。
【００４４】
このように構成された立体ジグソーパズル１は、脚部材５の上に胴体部３を載せ、この胴体部３の上に支持板４を介して頭部２を載せることによって組立てることができる。前記頭部２と前記胴体部３とは、それぞれ別に組立てることができる。
頭部２は、キャラクター人形の特徴部分である「顔」を有し、胴体部３は、「腹」、「左腕」および「右腕」などの特徴部分を有している。このため、この実施の形態によれば、特別な形状の前記特徴部分を有するキャラクター人形をジグソーパズルとして形成することができる。
【００４５】
したがって、この実施の形態による立体ジグソーパズル１は、球体のような単純な形状の立体ジグソーパズルに較べると、特徴部分の形状が組立時の手がかりになるから、難し過ぎるようなことがなく、作る楽しみを遊戯者に与えることができる。
この実施の形態による立体ジグソーパズル１は、キャラクター人形からなる立体物を組立てるものである。このため、立体ジグソーパズルを作る楽しみに加えて、キャラクター人形を組立てる楽しみを遊戯者に与えることができる。
【００４６】
また、顔ピース６、腹ピース４１などのキャラクター人形の特徴部分となるピースは、それぞれ一つのピースとして形成されているから、キャラクター人形の特徴部分にピースの分割線が表れることがない。このため、この実施の形態による立体ジグソーパズル１によれば、キャラクター人形の特徴部分の外観が損なわれることがないから、キャラクター人形の特徴を充分に表現することが可能な立体ジグソーパズルを提供することができる。
【００４７】
この実施の形態による立体ジグソーパズル１からなる立体物は、略球状の頭部２を有し、この頭部２は、前記顔ピース６と前記頭ピース７とを備え、これらの顔ピース６および頭ピース７の前記端面１３が指向して延びる仮想中心Ｃは、前記略球状の頭部２の中心部に位置している。
【００４８】
このように構成された立体ジグソーパズル１において、前記各ピースの端面１３は、頭部２の中心部から放射状に延びるように形成される。すなわち、この立体ジグソーパズル１を組立てるときには、前記端面１３の延びる方向（各ピースの例えば両端部の端面１３の傾斜する角度）が頭部２を組立てるときの手がかりになる。このため、この立体ジグソーパズル１を組立てる遊戯者においては、組立時の手がかりが増えるから、より一層楽しく組立てることができる。また、前記頭部２は、他の部分（胴体部３）とは別に組立てることができる。このため、この実施の形態によれば、頭部２を他の部分より先にまたは後に組立てることができるから、キャラクター人形（立体物）を組立てる際の楽しみ方を増やすことができる。
【００４９】
この実施の形態による立体ジグソーパズル１は、頭部２と、この頭部２を支持する胴体部３とを備え、この胴体部３は、腹ピース４１、左右の腕ピース４２，４３および胴体ピース４６を備えるとともに、上下方向に延びるように形成されている。この胴体部３の各ピースにおける水平方向の両端部に位置する端面１３は、胴体部３の上下方向に延びる中心線Ｌからなる仮想中心を指向するように形成されている。この端面１３は、胴体部３の中心線Ｌから放射状に延びるように形成される。
【００５０】
すなわち、この端面１３の角度（各ピースの例えば両端部の端面１３の傾斜する角度）が胴体部３を組立てるときの手がかりになる。このため、この実施の形態による立体ジグソーパズル１を組立てる遊戯者においては、胴体部３と前記頭部２とをそれぞれ楽しく組立てることができる。
【００５１】
この実施の形態による立体ジグソーパズル１は、頭部２と胴体部３との間に支持板４が設けられ、この支持板４の上端部には、前記頭部２の下端部を構成するピースと回転自在に嵌合する円柱状の軸３２が突設されている。すなわち、前記頭部２は、前記軸３２を中心として回転させることができる。
このため、この実施の形態で示す立体ジグソーパズル１においては、組立てた後に頭部２を回転させてキャラクター人形の姿勢を変えて楽しむことができる。
【００５２】
この実施の形態による胴体部３の下端部には、この胴体部３の下端部を構成する各ピースを組み合わせた状態で保持する脚部材５が設けられている。この立体ジグソーパズル１においては、前記脚部材５によって胴体部３の載置の安定が図られるから、組立後のキャラクター人形を容易に展示することができる。このため、この実施の形態によれば、組立後の立体ジグソーパズル１を鑑賞する楽しみを遊戯者に与えることができる。
【００５３】
この実施の形態に示す立体ジグソーパズル１は、頭部２の複数の頭ピース７のうち、少なくとも一つの頭ピース７は、端面１３の形状および位置が等しくかつ外表面１１の造形が異なる他のピース（耳ピース２４，２５）と交換可能に形成されている。このため、外表面１１の造形が異なる他のピース（耳ピース２４，２５）を取付けることによって、キャラクター人形の形状を変えることができる。
【００５４】
したがって、この実施の形態によれば、交換するピースを最小限として製造コストを少なく抑えながら、キャラクターが異なる複数種類の立体ジグソーパズル１を製造することができる。
なお、頭部２の一部の頭ピース７を造形が異なる他のピースに交換する場合は、胴体部３のピースも関連する形状のものと交換できるように形成することができる。例えば、一部の頭ピース７を王冠ピース（図示せず）に変える場合は、剣を有する部材を右腕ピース４３に球状部材の代わりに取付けることができる。
【００５５】
上述した実施の形態においては、二つの躯体（頭部２と胴体部３）を備えている立体ジグソーパズルについて説明した。しかし、本考案の立体ジグソーパズルは、このような限定にとらわれることはなく、躯体が一つである立体物や、躯体が三つ以上ある立体物とすることができる。
【実施例１】
【００５６】
本考案に係る立体ジグソーパズル１は、全高が約１０ｃｍ、胴体部３の高さが約５ｃｍ、頭部２の外径が約５ｃｍとなるように形成することができる。また、顔ピース６、頭ピース７、腹ピース４１および胴体ピース４６の厚みは、約８ｍｍに形成することができる。
【符号の説明】
【００５７】
１…立体ジグソーパズル、２…頭部、３…胴体部、４…支持板、５…脚部材、６…顔ピース、７…頭ピース、１１…外表面、１３…端面、１６…突起、１７…凹部、１８…第１の連結構造、２３…第２の連結構造、２１…突片、２２…切り欠き、２４，２５…耳ピース、３２…軸、４１…腹ピース、４２…左腕ピース、４３…右腕ピース、４６…胴体ピース、Ｃ…仮想中心、Ｌ…中心線。
【図１】
0003158461.tif 000003
【図２】
0003158461.tif 000004
【図３】
0003158461.tif 000005
【図４】
0003158461.tif 000006
【図５】
0003158461.tif 000007
【図６】
0003158461.tif 000008
【図７】
0003158461.tif 000009
【図８】
0003158461.tif 000010
【図９】
0003158461.tif 000011
【図１０】
0003158461.tif 000012